(57)【要約】【課題】  かつら１を頭部に確実に固定することができ、装着したかつら１の取り付け位置がずれないで、頭皮にかぶれが生じることのないかつらを提供する。【解決手段】  自毛Hに圧着固定される固定具6が、自毛Hを挿入する筒状部6aと、板状部6bからなるかつら固定具6を用いて、自毛Hに他方の面状ファスナー5を結合する。そして、この他方の面状ファスナー5に、表面に毛を備えるとともに頭部に被冠される皮体3と、この皮体3の裏面に設けられ、前記他方のファスナー5と対となる一方の面状ファスナー4を有するかつらを装着する。【選択図】  図１ 
2005179836.tif 000002
【特許請求の範囲】
【請求項１】
表面に毛を備えるとともに頭部に被冠される皮体と、この皮体の裏面に設けられた一方の面状ファスナーと、前記一方の面状ファスナーと着脱可能な頭部取付用の他方の面状ファスナーとを有するかつらであって、自毛に圧着固定される固定具と前記他方の面状ファスナーとを結合したことを特徴とするかつら。
【請求項２】
前記自毛に圧着固定される固定具が、自毛を挿入する筒状部と、前記他方の面状ファスナーとを結合する板状部からなることを特徴とするかつら固定具。
【請求項３】
表面に毛を備えるとともに頭部に被冠される皮体と、この皮体の裏面に設けられた一方の面状ファスナーと、前記一方の面状ファスナーと着脱可能な頭部取付用の他方の面状ファスナーとを有するかつらであって、自毛を着脱自在に挟持する固定具と前記他方の面状ファスナーとを結合したことを特徴とするかつら。
【請求項４】
前記自毛を着脱自在に挟持する固定具が、折り曲げ部と軸により自毛を挟持することを特徴とするかつら固定具。
【請求項５】
前記一方の面状ファスナーは、他方の面状ファスナー１枚に対して複数枚が結合することを特徴とする請求項１または請求項３記載のかつら。
【発明の詳細な説明】
【技術分野】
【０００１】
本発明は、頭部に装着するかつら及びかつら固定具に関する。
【背景技術】
【０００２】
従来、かつらを頭部に固定する方法として、接着テープを使用する方法や接着剤を使用する方法などがある（例えば、特許文献１参照）。ここで、接着テープを使用する方法とは、頭部に被冠されるかつらの裏面に両面テープなどの接着テープを貼着し頭部に固定する方法である。また、接着剤を使用する方法とは、頭部に残った自毛部分に直接接着剤を塗布してかつらの裏面を接着する固定する方法である。
【特許文献１】特開２０００−５４２１５号公報
【発明の開示】
【発明が解決しようとする課題】
【０００３】
しかし、これら従来のかつら固定方法においては、例えば接着テープを使用する方法では、接着力が弱く、かつらが脱落するおそれがあった。また、脱落に至らない場合であっても、例えば激しい運動をすると、かつらを装着して使用している最中において、かつらの装着位置にずれが生じる場合が多かった。かつらの装着位置がずれても人体を傷つけるような事態には至らないが、かつらの装着位置がずれると、外部から見た場合、いかにもかつらを使用していることが判然としてしまい、かつら使用者に羞恥心を起こさせる。かつら使用者にとって、かつらの装着位置がずれることほど恥ずかしいことはない。この恥ずかしさは実際にかつらを使用した者でなければ理解できないものである。また、接着剤を使用する方法では、人体の一部である髪の毛や頭皮に直接接着剤を塗付することになることから、頭皮にかぶれ等の弊害が発生する場合があった。人体には個人差があり、接着剤を使用してもかぶれを生じない人もいるが、体質によってかぶれを生じ易い人も数多く存在する。そこで、本発明は接着テープや接着剤によることなく、機械的な固定方法により、頭部に確実に装着できるかつら及びかつら固定具を提供することを目的とする。
【課題を解決するための手段】
【０００４】
請求項１記載の発明は、表面に毛を備えるとともに頭部に被冠される皮体と、この皮体の裏面に設けられた一方の面状ファスナーと、前記一方の面状ファスナーと着脱可能な頭部取付用の他方の面状ファスナーとを有するかつらであって、自毛に圧着固定される固定具と前記他方の面状ファスナーとを結合したかつらである。
【０００５】
請求項２記載の発明は、前記自毛に圧着固定される固定具が、自毛を挿入する筒状部と、前記他方の面状ファスナーと結合する板状部からなるかつら固定具である。
【０００６】
請求項３記載の発明は、表面に毛を備えるとともに頭部に被冠される皮体と、この皮体の裏面に設けられた一方の面状ファスナーと、前記一方の面状ファスナーと着脱可能な頭部取付用の他方の面状ファスナーとを有するかつらであって、自毛を着脱自在に挟持する固定具と前記他方の面状ファスナーとを結合したかつらである。
【０００７】
請求項４記載の発明は、前記自毛を着脱自在に挟持する固定具が、折り曲げ板と軸により自毛を挟持するかつら固定具である。
【０００８】
請求項５記載の発明は、請求項１または請求項３記載の発明において、前記一方の面状ファスナーが、他方の面状ファスナー１枚に対して複数枚が結合するかつらである。
【発明の効果】
【０００９】
請求項１記載のかつらによれば、頭部にかつらを装着する際に、接着テープや接着剤を用いることなく、機械的手段によりかつらを装着することができるので、接着テープや接着剤を用いることによって頭皮にかぶれを生じることがなくなる。また、頭部にかつらを確実に固定することができるので、かつらを装着したまま激しい運動をしても、かつらの装着位置にずれを生じることがない。
【００１０】
請求項２記載のかつら固定具によれば、特殊工具を使用する必要がなく、広く市販されている標準圧着工具を用いて自毛にかつら固定具を圧着することができる。
【００１１】
請求項３記載のかつらによれば、頭部にかつらを装着する際に、接着テープや接着剤を用いることなく機械的手段によりかつらを装着することができるので、接着テープや接着剤を用いることによって頭皮にかぶれを生じることがなくなる。また、必要に応じて自毛を挟持する固定具を着脱できるので、自毛への負担を軽減することができる。
【００１２】
請求項４記載のかつら固定具によれば、折り曲げ部に軸を挿入することにより自毛をかつら固定具に挟持することができる。その一方、折り曲げ部から軸を引き抜くことにより自毛をかつら固定具から開放することができる。したがって、必要に応じて適宜かつら固定具を自毛に着脱することができる。
【００１３】
請求項５記載のかつらによれば、自毛にかつら固定具を圧着または挟持したまま髪の毛が伸びてしまっても、所定範囲内の伸びであれば、かつら固定具を自毛に圧着または挟持し直さなくとも、かつら装着位置にずれが生じないので、かつら装着作業の簡素化を図ることができる。
【発明を実施するための最良の形態】
【００１４】
以下、本発明の実施例を図面に基づいて説明する。図１は、本発明の第１実施例によるかつらの断面と頭部正面を示す図面である。かつら１は、表面に毛２を備え頭部に被冠可能な曲面を有する柔軟な軟質樹脂製あるいはエラストマー製のシート、ネットなどからなる皮体３と、この皮体３の裏面部に強化ボンド（図示せず）等の接着手段により設けられた一方の面状ファスナーであるかつら用面状ファスナー４と、該面状ファスナー４と着脱可能な頭部取付用のフック状の頭部用他方の面状ファスナー５とを有し、頭部に残存する自毛Hに圧着固定される固定具６と、前記他方の面状ファスナー５とを結合して頭部に装着するものである。なお、皮体３にネットなどの通気性を有するものを使用するのは、装着した際の通気性に優れ、蒸れなどがなく長期間快適なかつら１を実現するためである。
【００１５】
ここで、前記面状ファスナー４，５は、ベルベットファスナーとも称せられ、広く普及しているものを用いることができる。具体的には、図２に示すように面状ファスナー４は、皮体３に固定した帯状の基端部4aに頭部方向に向かって軟質ループ状の合着部4bが設けられている。また、頭部用面状ファスナー５には、自毛Hに固定する帯状の基端部5aにかつら１の方向に向かって、前記合着部4bと着脱可能な比較的硬質なフック状の被合着部5bが設けられている。なお、前記合着部4bの軟質とは、フック状の被合着部5bに比較して軟らかく形成されているというものである。
【００１６】
また、面状ファスナー５とかつら１の裏面に取り付けられる一方の面状ファスナー４とは、双方で一対のファスナーを構成するものであり、ベルベットファスナーはその一例に過ぎないが、ベルベットファスナーは結合方式が機械的であり、確実に固定できるとともに必要に応じて脱着もできるという利点がある。さらに、ベルベットファスナーの締結力が低下した場合には、ベルベットファスナーだけを新しいものに交換することにより締結力を回復することができることから、本発明に用いるファスナーとして好適である。
【００１７】
図３は本実施例の固定具６を自毛Hに圧着して他方の面状ファスナー５と結合した状態を示すものであり、頭部の右側面を示している。また、図４は、図３に図示した頭部を上方から見た図面である。かつら１を固定するための面状ファスナー５は、頭部の両側面に少なくとも１箇所ずつ取り付けられるが、より一層確実にかつら１を固定したい場合には、両側頭部のほかに後頭部や斜め後頭部などより多くの箇所に面状ファスナー５を取り付けることもできる。頭部のより多くの箇所に面状ファスナーを取り付ければ、より一層確実にかつら１を固定することができる。
【００１８】
ここで、他方の面状ファスナー５を側頭部や後頭部に取り付けることとするのは、一般に頭髪が禿げる場合には頭頂部から先に禿げることから、頭頂部には自毛Hが残存しないためである。したがって、事故等により頭頂部以外の頭皮に髪の毛がなくなり、ヘアピースにより当該部分を覆う必要がある場合には、他方の面状ファスナー５を側頭部ではなく、頭頂部に取り付けることになる。
【００１９】
図５は、本実施例によるかつら固定具６の外観斜視図であり、自毛Ｈを挿入する筒状部6aと、前記他方の面状ファスナー５と結合する板状部6bとからなる。具体的には、電気配線工事に際して電線を端子台に接続する圧着端子を、そのままかつら固定具として使用することができる。電気配線工事用圧着端子は、大量生産されており安価であるとともに各種サイズのものが揃っており、使用できる自毛Hの量に応じて適正な大きさのものを選択できるというメリットがある。
【００２０】
図６は頭部に取り付けられる他方の面状ファスナー５の両端と、２つのかつら固定具６とを結合した状態を示したものである。２つのかつら固定具６，６の頭部への取り付けは、面状ファスナー５の大きさに対応した頭部の位置において、固定具６の筒状部6aの孔径に応じた本数の自毛Hを束ねて筒状部6aの孔に挿入した後、圧着工具により筒状部6aを押し潰して自毛Hと筒状部6aとを固定することができる。圧着工具は図示していないが、市場において広く販売されている通常の電気配線工事用圧着工具を用いることができる。頭部に残存する自毛Hが充分ある場合には、固定具6の筒状部6aの孔に挿入するだけの充分な自毛Hの本数を容易に確保できるが、頭部に残存する自毛Hが少ない場合には、自毛Hを何回が折り曲げて筒状部6aに挿入する部分の自毛Hの本数を実質的に増加させて圧着するとよい。例えば利用できる自毛Hの本数が５０本である場合において、１回折り曲げると５０本増加して筒状部6aに挿入できる自毛Hの本数は１００本になる。それでも不足する場合には、さらに折り曲げ回数を重ねるごとに５０本ずつ実質的に利用できる自毛Hの本数が増加することになり、圧着に充分な自毛Hの本数を確保することができる。また、折り曲げた後で当該部を紙テープやセロハンテープ等を巻いて適正な太さにした後で圧着することもできる。
【００２１】
ここで、固定具６を自毛Hに圧着する際には、図１や図３に示すように自毛Hを逆立てるようにして集め、この集めた自毛Hを固定具６の板状部6bが斜め上方になる姿勢で筒状部6aの孔に挿入して圧着する。このようにして固定具６を圧着すると、かつら1を頭部から上方に引っ張って取外すときに自毛Hの方向が反転しないため、かつら1を容易に取外すことができる。
【００２２】
固定具６と面状ファスナー5との結合は、面状フアスナー５の両端に設けられた孔5cと固定具6の板状部6bに設けられた孔6cを利用して容易に結合することができる。たとえば麻糸やナイロン糸を用いて縛ることにより結合することができる。
【００２３】
次に、面状ファスナー５へのかつらの取り付け方法について説明する。頭部に面状ファスナー５を取り付けた後においては、図１に示すように、かつら１を頭の上部から被せる。図１においては、両側頭部にかつら固定具６を用いて面状ファスナー５を自毛Hに固定する方法を示している。この状態でかつら１を頭部上方から被冠して、両側頭部に固定した面状ファスナー５に、かつら裏面に設けられたもう一方の面状ファスナー４を押し付けることにより、かつら１を頭部に装着することができる。ここで、頭部に固定する面状ファスナー５と、かつら裏面に設けられる一方の面状ファスナー４の位置関係は相互に関係があることから、面状ファスナー５を側頭部に固定する際には、予め位置関係を確認して固定する必要がある。しかし、いったん面状ファスナー５を側頭部に固定した後では、位置関係がずれることはないので、かつら１を装着する際に正しい位置に固定すれば、激しい運動をしてもかつら１の位置が、ずれてしまうことはない。したがって、かつら使用中にかつら１の位置がずれて、かつらを使用していることを第三者に知られることがなくなる。
【００２４】
図７は本発明によるかつら固定具の第２実施例を示すものである。この固定具７は、ばね効果を有する材料、例えば金属材料であるばね綱からなる１枚の板材を折り曲げてＵ字状に形成した折り曲げ部7aと、平板に孔7cを有する平板部7bとからなる。折り曲げ部はＵ字形状の内側に自毛Ｈである頭髪とともに軸８を挿入することにより、自毛Ｈを固定具７に挟持して固定するものである。軸８は固定具７の折り曲げ部7aの内側に自毛Ｈである髪の毛を挟んだ後、Ｕ字状に折り曲げた開口部7dから押し込んで挿入する。開口部7dの開口間隔は、軸８の直径に比較してかなり小さくされているが、折り曲げ部7a自体がばね効果を有する材料で製作されていることから、軸８を折り曲げ部7aに押し込むことができる。そして、いったん軸８を押し込んだ後には、軸８は折り曲げ部7aの有するばね効果により付勢されるので脱落しないのみならず、折り曲げ部7aに自毛Ｈを挟持することができる。
【００２５】
図８は、この第２実施例に基づく固定具7を自毛Hに固定した後、他方の面状ファスナー5を結合した状態を示す図面である。固定具7と面状ファスナー5との結合は図６に示す第１実施例と同様にして行うことができる。すなわち、麻糸やナイロン糸等を用いて結合することができる。また、かつらの頭部への取り付け方法については、先に説明した実施例１と同様にして行うことができる。装着に際して留意すべき事項についても実施例１と異なるところはない。
【００２６】
本実施例によれば、経時変化により自毛Hが伸びてしまった場合に、固定具7から軸8を抜き出して容易に再装着することができる。すなわち、軸8の軸端に設けられた拡径部8aを把持して軸方向に引き抜くことができる。軸8を引き抜くと自毛Hである髪の毛も固定具7から容易に引き抜くことができる。したがって、何度でも挟持し直すことができ、固定具７を繰り返し使用することができる。
【００２７】
図９は本発明の第３実施例を示す面状ファスナー４の取り付け配置図である。先に説明した第１実施例や第２実施例においては、一対の面状ファスナー４，５は、双方とも矩形の平面形状を有しており、相互の配置は平行にされている。一方、本実施例においては、１枚の面状ファスナー５に対して複数枚の面状ファスナー４が配置されている。具体的にいうと、図９においては１枚の面状ファスナー５に対して４枚の面状ファスナー４が直交配置されている。このように双方の面状ファスナー４，５の長辺を直交させて配置することにすることにより、自毛Ｈに固定した面状ファスナー５の位置が髪の伸長により図に示すように、側頭上方位置から側頭下方位置へと変化しても、面状ファスナー４の長辺の範囲内であれば、双方の面状ファスナー４，５を合着することができる。したがって、自毛Ｈにかつら固定具６，７を圧着または挟持したまま髪の毛が伸びてしまっても、所定範囲内の伸びであれば、かつら固定具６，７を自毛Ｈに圧着または挟持し直さなくとも、かつら装着位置にずれが生じないので、かつら装着作業の簡素化を図ることができる。
【００２８】
以上、本発明について実施例および図面に基づいて説明したが、本発明は前記実施例に限定されるものではなく、本発明の技術思想の範囲内で種々の変形実施が可能である。例えば、本実施例において、面状ファスナー４には、軟質ループ状の合着部4bを設け、面状ファスナー５には、比較的硬質なフック状の被合着部5bを設けているが、合着部4bと被合着部5bとを逆にして、面状ファスナー４に比較的硬質なフック状の合着部4bを設け、面状ファスナー５に軟質ループ状の被合着部5bを設けてもよい。
【００２９】
さらに、上記説明では頭部に被せるかつらは頭部全体を覆うかつらを例に挙げたが、本発明に適用できるかつらは頭部の一部を覆うかつら、いわゆるヘアピースに適用することもできる。
【図面の簡単な説明】
【００３０】
【図１】本発明の第１実施例を示すかつらの断面図と頭部正面図である。
【図２】同上、ファスナーの断面図である。
【図３】同上、固定具を側頭部へ取り付けた外観図である。
【図４】同上
【図５】同上、固定具の外観斜視図である。
【図６】同上、固定具に面状ファスナーを結合した場合の外観図である。
【図７】本発明の第２実施例を示す固定具の外観斜視図である。
【図８】同上、固定具に面状ファスナーを結合した場合の外観図である。
【図９】本発明の第3実施例を示す面状ファスナーの取り付け配置図である。
【符号の説明】
【００３１】
１  かつら
２  毛
３  皮体
４  一方の面状ファスナー
５  他方の面状ファスナー
６  固定具
6a  筒状部
6b  板状部
７  固定具
7a  折り曲げ部
８  軸
【図１】
2005179836.tif 000003
【図２】
2005179836.tif 000004
【図３】
2005179836.tif 000005
【図４】
2005179836.tif 000006
【図５】
2005179836.tif 000007
【図６】
2005179836.tif 000008
【図７】
2005179836.tif 000009
【図８】
2005179836.tif 000010
【図９】
2005179836.tif 000011